【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】記録媒体と記録装置及び再生装置、記録方法及び再生方法
【手続補正２】
【補正対象書類名】明細書
【補正対象項目名】特許請求の範囲
【補正方法】変更
【補正の内容】
【特許請求の範囲】
【請求項１】
ディジタル情報を記録する記録媒体であって、
１又は２以上のオーディオデータを有するオーディオストリームが記録される第１の記録領域と、
前記オーディオストリームに関する制御情報が記録される第２の記録領域とを有し、
前記制御情報は、前記オーディオストリームが異なる記録モードのオーディオデータを有しているか否かを示すためのアプリケーション情報を有することを特徴とする記録媒体。
【請求項２】
前記記録モードは少なくとも、モノラルオーディオ、多チャンネルオーディオ、多重オーディオであることを特徴とする請求項１に記載の記録媒体。
【請求項３】
前記オーディオストリームは、前記多重オーディオの記録モードのオーディオデータを有することを特徴とする請求項１又は２に記載の記録媒体。
【請求項４】
前記多重オーディオの記録モードのオーディオデータは、複数のオーディオチャンネルで構成され、各オーディオチャンネル毎に異なる多重オーディオの言語データを有することを特徴とする請求項３に記載の記録媒体。
【請求項５】
前記オーディオストリームは、前記多チャンネルオーディオの記録モードのオーディオデータを更に有し、前記アプリケーション情報は、記録モードの異なるオーディオデータを有するオーディオストリームを識別する情報を有することを特徴とする請求項３又は４に記載の記録媒体。
【請求項６】
前記制御情報は、更に、前記オーディオストリームのオーディオチャンネル数を示す数情報を有することを特徴とする請求項１乃至６のいずれか１項の記録媒体。
【請求項７】
前記制御情報は、更に、前記記録モードを識別するための数情報を有することを特徴とする請求項１乃至５の何れか１項に記載の記録媒体。
【請求項８】
前記制御情報は、更に、前記オーディオデータのビットレートを示すレート情報を有することを特徴とする請求項１乃至７の何れか１項に記載の記録媒体。
【請求項９】
記録媒体にオーディオデータを記録する記録装置であって、
１又は２以上のオーディオデータをオーディオストリームとして前記記録媒体に記録する第１の記録手段と、
前記オーディオストリームが異なる記録モードのオーディオデータを有しているか否かを示すためのアプリケーション情報を有する制御情報を生成する生成手段と、
前記制御情報を前記記録媒体に記録する第２の記録手段と、
を具備することを特徴とする記録装置。
【請求項１０】
前記記録モードは少なくとも、モノラルオーディオ、多チャンネルオーディオ、多重オーディオであることを特徴とする請求項９に記載の記録装置。
【請求項１１】
前記オーディオストリームは、前記多重オーディオの記録モードのオーディオデータを有することを特徴とする請求項９又は１０に記載の記録装置。
【請求項１２】
前記多重オーディオの記録モードのオーディオデータは、複数のオーディオチャンネルで構成され、各オーディオチャンネル毎に異なる多重オ＾ディオの言語データを有することを特徴とする請求項１１に記載の記録装置。
【請求項１３】
前記オーディオストリームは、前記多チャンネルオーディオの記録モードのオーディオデータを更に有し、前記生成手段は、記録モードの異なるオーディオデータを有するオーディオストリームを識別する情報を有する前記アプリケーション情報を生成することを特徴とする請求項１１又は１２に記載の記録装置。
【請求項１４】
前記生成手段は、更に、前記オーディオストリームのオーディオチャンネル数を示す数情報を生成することを特徴とする請求項９乃至１３の何れか１項に記載の記録装置。
【請求項１５】
前記生成手段は、更に、記録モードを識別するための数情報を生成することを特徴とする請求項９乃至１３の何れか１項に記載の記録装置。
【請求項１６】
前記生成手段は、更に、前記オーディオデータのビットレートを示すレート情報を生成することを特徴とする請求項９乃至１５の何れか１項に記載の記録装置。
【請求項１７】
記録媒体から情報を再生する再生装置であって、
１又は２以上のオーディオデータを有するオーディオストリームが記録される第１の記録領域と、前記オーディオストリームが異なる記録モードのオーディオデータを有しているか否かを示すためのアプリケーション情報を有する制御情報が記録される第２の記録領域とを有する記録媒体から、オーディオデータを再生する再生装置であって、
前記記録媒体から前記制御情報を読み取る読取手段と、
前記記録媒体に記録されている前記オーディオデータを再生する制御を前記制御情報に基づいて行う制御手段と、
を具備することを特徴とする再生記置。
【請求項１８】
前記記録モードは少なくとも、モノラルオーディオ、多チャンネルオーディオ、多重オーディオであることを特徴とする請求項１７に記載の再生装置。
【請求項１９】
前記オーディオストリームは、前記多重オーディオの記録モードのオーディオデータを有することを特徴とする請求項１７又は１８に記載の再生装置。
【請求項２０】
前記多重オーディオの記録モードのオーディオデータは、複数のオーディオチャンネルで構成されると共に各オーディオチャンネル毎に異なる多重オーディオの言語データを有し、
更に、多重言語データの１つを選択する操作手段を有すると共に、前記制御手段は、オーディオデータの再生に際し、前記選択された多重オーディオの言語データを再生する制御を行うことを特徴とする請求項１９に記載の再生装置。
【請求項２１】
前記オーディオストリームは、多チャンネルオーディオの記録モードのオーディオデータを更に有し、
前記アプリケーション情報は、記録モードの異なるオーディオデータを有するオーディオストリームを識別する情報を有することを特徴とする請求項１９又は２０に記載の再生装置。
【請求項２２】
前記制御情報は、更に、前記オーディオストリームのオーディオチャンネル数を示す数情報を有することを特徴とする請求項１７乃至２１の何れか１項に記載の再生装置。
【請求項２３】
前記制御情報は、更に、前記記録モードを識別するための数情報を有することを特徴とする請求項１７乃至２１の何れか１項に記載の再生装置。
【請求項２４】
前記制御情報は、更に、前記オーディオデータのビットレートを示すレート情報を有することを特徴とする請求項１７乃至２９の何れか１項に記載の再生装置。
【請求項２５】
記録媒体にオーディオデータを記録する記録方法であって、
前記オーディオデータをオーディオストリームとして前記記録媒体に記録する第１の記録ステップと、
前記オーディオストリームが異なる記録モードのオーディオデータを有しているか否かを示すためのアプリケーション情報を有する制御情報を生成して、前記記録媒体に記録する生成ステップと、
を具備することを特徴とする記録方法。
【請求項２６】
前記記録モードは少なくとも、モノラルオーディオ、多チャンネルオーディオ、多重オーディであることを特徴とする請求項２５に記載の記録方法。
【請求項２７】
前記オーディオストリームは、前記多重オーディオの記録モードのオーディオデータを有することを特徴とする請求項２５又は２６に記載の記録方法。
【請求項２８】
前記多重オーディオの記録モードのオーディオデータは、複数のオーディオチャンネルで構成されると共に、各オーディオチャンネル毎に異なる多重オーディオの言語データを有することを特徴とする請求項２７に記載の記録方法。
【請求項２９】
前記オーディオストリームは、前記多チャンネルオーディオの記録モードのオーディオデータを更に有し、
前記アプリケーション情報は、記録モードの異なるオーディオデータを有するオーディオストリームを示す情報を有することを特徴とする請求項２７又は２８に記載の記録方法。
【請求項３０】
前記制御情報は、更に、前記オーディオストリームのオーディオチャンネル数を示す数情報を有することを特徴とする請求項２５乃至２９の何れか１項に記載の記録方法。
【請求項３１】
前記制御情報は、更に、前記記録モードを識別する数情報を有することを特徴とする請求項２５乃至２９の何れか１項に記載の記録方法。
【請求項３２】
前記制御情報は、更に、前記オーディオデータのビットレートを示すレート情報を有することを特徴とする請求項２５乃至２９の何れか１項に記載の記録方法。
【請求項３３】
１又は２以上のオーディオデータを有するオーディオストリームが記録される第１の記録領域と、前記オーディオストリームが異なる記録モードのオーディオデータを有しているか否かを示すためのアプリケーション情報を有する制御情報が記録される第２の記録領域とを有する記録媒体から、オーディオデータを再生する再生方法であって、
前記記録媒体から前記制御情報を読み取り、前記読み取った制御情報に基づいて前記記録媒体に記録されているオーディオデータを再生する制御を行う制御ステップと、
を具備することを特徴とする再生方法。
【請求項３４】
前記記録モードは少なくとも、モノラルオーディオ、多チャンネルオーディオ、多重オーディであることを特徴とする請求項３３に記載の再生方法。
【請求項３５】
前記オーディオストリームは、前記多重オーディオの記録モードのオーディオデータを有することを特徴とする請求項３３又は３４に記載の再生方法。
【請求項３６】
前記多重オーディオ記録モードのオーディオデータは、複数のオーディオチャンネルで構成されると共に各オーディオチャンネル毎に異なる多重オーディオの言語データを有し、
更に、多重言語データを選択する操作ステップを有すると共に、前記制御ステップは、オーディオデータの再生に際し、前記選択された言語データを再生する制御を行うことを特徴とする請求項３５に記載の再生方法。
【請求項３７】
前記オーディオストリームは、前記多チャンネルオーディオ記録モードのオーディオデータを更に有し、
前記アプリケーション情報は、記録モードの異なるオーディオデータを有するオーディオストリームを示す情報を有することを特徴とする請求項３５又は３６に記載の再生方法。
【請求項３８】
前記制御情報は、更に、前記オーディオストリームのオーディオチャンネル数を示す数情報を有することを特徴とする請求項３３乃至３７の何れか１項に記載の再生方法。
【請求項３９】
前記制御情報は、更に、前記記録モードを識別する数情報を有することを特徴とする請求項３３乃至３７の何れか１項に記載の再生方法。
【請求項４０】
前記制御情報は、更に、前記オーディオデータのビットレートを示すレート情報を有することを特徴とする請求項３３乃至３９の何れか１項に記載の再生方法。
【手続補正３】
【補正対象書類名】明細書
【補正対象項目名】００５７
【補正方法】変更
【補正の内容】
【００５７】
更に詳細は後述するが、記録媒体２に記録される１タイトル分のオーディオデータが、ステレオ、多重オーディオデータ又はモノラルデータの混在したデータとして記録される場合には、オーディオストリーム属性テーブル（VOB_AST_ATRT）中のチャンネルナンバーの項目に、その混在したことを示すビットデータ“１”の混在フラグデータＦＬＧが記録され、混在していない場合には、その混在フラグＦＬＧは“０”に設定される。
【手続補正４】
【補正対象書類名】明細書
【補正対象項目名】００９２
【補正方法】変更
【補正の内容】
【００９２】
このオーディオストリーム属性テーブル（VOB_AST_ATRT）は、３バイトで構成され、オーディオ符号化モード（Audio coding mode）と、チャンネルナンバー（Channel Number）と、量子化数（Quantization）Ｑb、サンプリング周波数（Sampling frequency）ｆs、チャンネル数（Number of Audio channels）ＣＨn、及びビットレート（Bit rate）の各項目の情報が記録される。
【手続補正５】
【補正対象書類名】明細書
【補正対象項目名】００９４
【補正方法】変更
【補正の内容】
【００９４】
上記チャンネルナンバーには、混在モードフラグＦＬＧが記録される。すなわち、図７（ａ）に示すように、記録媒体２に記録される１タイトル分の記録情報中に、多重オーディオ、多チャンネルオーディオ、モノラルオーディオのデータが混在している場合（記録モードが混在している場合）には、ＦＬＧ＝“１”となり、１タイトルの記録情報が、多重オーディオ、多チャンネルオーディオ、モノラルオーディオのうちの１種類だけ場合には、ＦＬＧ＝“０”となる。
【手続補正６】
【補正対象書類名】明細書
【補正対象項目名】０１１１
【補正方法】変更
【補正の内容】
【０１１１】
次に、記録再生装置１の再生時の動作例について、図８に示すフローチャートを参照して説明する。尚、上述した多重オーディオ信号とステレオオーディオ信号が１つのストリームとして記録された記録媒体２を用いて再生する場合の動作例について説明する。
【手続補正７】
【補正対象書類名】明細書
【補正対象項目名】０１１２
【補正方法】変更
【補正の内容】
【０１１２】
図８において、使用者等が記録再生装置１の電源を投入し、記録媒体２を挿入すると（ステップ１００）、ステップ１０２の処理へ移行する。ステップ１０２では、ピックアップ４が、記録媒体２に記録されているビデオマネージャ情報（ＶＭＧＩ）を読み取って再生系７に供給する。再生系７では、そのビデオマネージャ情報（ＶＭＧＩ）を再生回路２６とデコーダ２５を通じて入力し、再生バッファメモリ２４に記憶する。そして、使用者等が次の指示をするまで待機する（ステップ１０４）。
【手続補正８】
【補正対象書類名】図面
【補正対象項目名】図７
【補正方法】変更
【補正の内容】
【図７】
2000222822.tif 000001